(57)【要約】【課題】  両面読取機能を備える画像読取装置において、製造コストを抑えながら読取時間を短縮できる構成を提供する。【解決手段】画像読取装置は、原稿の第１面の画像情報を読み取るための第１の原稿読取部と、前記原稿の第２面の画像情報を読み取るための第２の原稿読取部と、前記原稿の画像情報を記憶するための記憶部と、前記記憶部に記憶された画像情報を符号に変換するための符号変換部と、を備える。前記第１の原稿読取部が読み取った画像情報と、前記第２の原稿読取部が読み取った画像情報とが、同一の前記記憶部に入力され、当該画像情報が前記符号変換部によって符号に変換される。【選択図】図２
2009005101.tif 000002
【特許請求の範囲】
【請求項１】
原稿の第１面の画像情報を読み取るための第１の原稿読取部と、
前記原稿の第２面の画像情報を読み取るための第２の原稿読取部と、
前記原稿の画像情報を記憶するための記憶部と、
前記記憶部に記憶された画像情報を符号に変換するための符号変換部と、
を備え、
前記第１の原稿読取部が読み取った画像情報と、前記第２の原稿読取部が読み取った画像情報とが、同一の前記記憶部に入力され、当該画像情報が前記符号変換部によって符号に変換されることを特徴とする画像読取装置。
【請求項２】
請求項１に記載の画像読取装置であって、
前記第１の原稿読取部から前記記憶部に画像情報が入力される状態と、前記第２の原稿読取部から前記記憶部に画像情報が入力される状態と、の間で切換可能な切換部を備えることを特徴とする画像読取装置。
【請求項３】
請求項１又は２に記載の画像読取装置であって、
前記原稿を搬送するための搬送部と、
前記搬送部を駆動するための駆動部と、
前記駆動部が接続される制御部と、
を備え、
前記制御部は、前記原稿の後端が前記第１の原稿読取部の読取位置を通過した後に、前記駆動部を逆回転させて前記原稿を前記第２の原稿読取部の読取位置より上流側に引き戻すとともに、前記符号変換部による前記原稿の第１面の符号化が完了した後に前記第２の原稿読取部が原稿の第２面の読取を開始するように、前記駆動部を制御することを特徴とする画像読取装置。
【請求項４】
請求項３に記載の画像読取装置であって、
前記原稿を検知するための検知部を前記第２の原稿読取部の上流側に備え、
前記制御部は、引き戻される前記原稿が前記検知部を通過した後に前記駆動部を正回転させるように制御することを特徴とする画像読取装置。
【請求項５】
請求項１又は２に記載の画像読取装置であって、
前記原稿を検知するための検知部を前記第２の原稿読取部の上流側に備えるとともに、
前記第１の原稿読取部の読取位置から前記検知部までの距離よりも短い長さの原稿を搬送可能に構成したことを特徴とする画像読取装置。
【請求項６】
請求項１から５までの何れか一項に記載の画像読取装置であって、
前記記憶部及び前記符号変換部を本体側に備えるとともに、
前記第２の原稿読取部が前記本体に着脱自在とされていることを特徴とする画像読取装置。
【請求項７】
請求項６に記載の画像読取装置に対し着脱自在な裏面読取ユニットであって、前記第２の原稿読取部を備えることを特徴とする裏面読取ユニット。
【請求項８】
請求項７に記載の裏面読取ユニットであって、
原稿を検知するための検知部を備えることを特徴とする裏面読取ユニット。
【請求項９】
請求項１から６までの何れか一項に記載の画像読取装置を備えた画像形成装置。
【発明の詳細な説明】
【技術分野】
【０００１】
本発明は、主要には、原稿の表面と裏面を読取可能な画像読取装置に関するものである。
【背景技術】
【０００２】
画像読取装置の一種として、自動原稿搬送装置（オートドキュメントフィーダ、ＡＤＦ）で原稿を１枚ずつ搬送するとともに、その表面と裏面の画像情報を読取可能な構成が知られている。
【０００３】
上記のような両面読取方式の画像読取装置は、原稿の両面を読み取る方法に着目して、いくつかの方式に分類することができる。例えば、ＡＤＦの原稿の搬送路に表面用と裏面用の２つの原稿読取ユニットを備えることによって、１度の原稿搬送で表面と裏面を同時に読み取る方式のものが知られている。また、原稿読取ユニットは１つだけ備えることとし、搬送経路で原稿を反転させつつ戻し搬送を行うことで、共通の原稿読取ユニットによって表面と裏面を順次読み取る方式のものも知られている。
【０００４】
例えば特許文献１は以下の構成のＡＤＦを開示する。即ち、第１の光学式読取部を内蔵し、該第１の光学式読取部によりプラテン上に載置された原稿の第１面の画像を読み取る第１の画像読取部と、該第１の光学式読取部に対してプラテンを挟んで反対側に位置し、原稿の第２面を読み取るための第２の光学式読取部を内蔵した第２の画像読取部と、第２の画像読取部の外枠を覆う外装のうち、少なくともひとつの開閉可能なカバーとを有する画像読取装置において、前記外装の一部を開放することにより、前記第２の光学式読取部の着脱を行う。
【０００５】
特許文献１は、この構成によれば、片面しか読み取れない原稿ＡＤＦに一つのユニットを付加するだけで両面を読取可能な構成となるので、シンプルな構成で安価な両面原稿ＡＤＦを実現できるとする。
【特許文献１】特開２００２−３４４６９５号公報
【発明の開示】
【発明が解決しようとする課題】
【０００６】
ＡＤＦの原稿の搬送路に表面用と裏面用の２つの読取ユニットを備える方式のものは、原稿読取部を２つ備える必要があるほか、各原稿読取部で読み取った原稿の画像情報を一時的に記憶するための記憶部、及び、画像情報を符号に変換するための符号変換部も、表面用と裏面用とで１つずつ備える必要がある。このため、画像読取装置の製造コストが著しく上昇してしまう。上記の特許文献１の構成も同様に、着脱自在なユニット側に、裏面用の原稿読取部に加えて裏面用の記憶部及び符号変換部等を備える必要があるため、製造コストの抑制が困難である。
【０００７】
また、原稿の表面を読み取った後に反転させて裏面を読み取る方式のものは、原稿反転のための時間が必要になり、読取時間が長大化してしまう。また、この方式の画像読取装置は、原稿の表裏反転機構及び戻し経路等を設置しなければならず、構成が複雑化してしまう。従って、構成の簡素化及び製造コスト等の点で改善の余地が残されていた。
【課題を解決するための手段及び効果】
【０００８】
本発明の解決しようとする課題は以上の如くであり、次にこの課題を解決するための手段とその効果を説明する。
【０００９】
本発明の第１の観点によれば、以下の構成の画像読取装置が提供される。即ち、この画像読取装置は、原稿の第１面の画像情報を読み取るための第１の原稿読取部と、前記原稿の第２面の画像情報を読み取るための第２の原稿読取部と、前記原稿の画像情報を記憶するための記憶部と、前記記憶部に記憶された画像情報を符号に変換するための符号変換部と、を備える。前記第１の原稿読取部が読み取った画像情報と、前記第２の原稿読取部が読み取った画像情報とが、同一の前記記憶部に入力され、当該画像情報が前記符号変換部によって符号に変換される。
【００１０】
この構成により、１つの記憶部及び符号変換部を原稿の第１面用と第２面用で共用できるので、製造コストを抑えることができる。更に、原稿を反転させることなく両面を読み取ることができるので、原稿の表面を原稿読取部で読み取った後に原稿を表裏反転させて同一の原稿読取部で読み取る方法と比べて、読取時間を短縮することができる。これによって、両面読取機能を有する画像読取装置において、製造コストを抑えるとともに、読取時間を短縮できる。
【００１１】
前記画像読取装置においては、前記第１の原稿読取部から前記記憶部に画像情報が入力される状態と、前記第２の原稿読取部から前記記憶部に画像情報が入力される状態と、の間で切換可能な切換部を備えることが好ましい。
【００１２】
この構成により、第１の原稿読取部で読み取った画像情報と第２の原稿読取部で読み取った画像情報とを、確実に切り換えてイメージメモリに入力して蓄積し、符号変換させることができる。
【００１３】
前記画像読取装置においては、以下の構成とすることが好ましい。即ち、この画像読取装置は、前記原稿を搬送するための搬送部と、前記搬送部を駆動するための駆動部と、前記駆動部が接続される制御部と、を備える。前記制御部は、前記原稿の後端が前記第１の原稿読取部の読取位置を通過した後に、前記駆動部を逆回転させて前記原稿を前記第２の原稿読取部の読取位置より上流側に引き戻すとともに、前記符号変換部による前記原稿の第１面の符号化が完了した後に前記第２の原稿読取部が原稿の第２面の読取を開始するように、前記駆動部を制御する。
【００１４】
この構成により、第１の原稿読取部の画像情報が符号化されるまで第２の画像読取装置の読取を待つことで、記憶部を効率的に使うことができる。これによって、記憶部の容量が小さい場合でも適切に両面読取を行うことができる。また、駆動部をいったん停止制御するだけで良いので、簡素な構成の画像読取装置を提供できる。
【００１５】
前記画像読取装置においては、以下の構成とすることが好ましい。即ち、この画像読取装置は、前記原稿を検知するための検知部を前記第２の原稿読取部の上流側に備える。前記制御部は、引き戻される前記原稿が前記検知部を通過した後に前記駆動部を正回転させるように制御する。
【００１６】
この構成により、駆動部を正方向に駆動して第２の原稿読取部により第２面を読み取る際に、第２の原稿読取検知センサが原稿を検知したタイミングを基準にして、前記第２の原稿読取部の読取開始タイミングを正確に決定することができる。
【００１７】
前記画像読取装置においては、以下の構成とすることが好ましい。即ち、この画像読取装置は、前記原稿を検知するための検知部を前記第２の原稿読取部の上流側に備える。また、この画像読取装置は、前記第１の原稿読取部の読取位置から前記検知部までの距離よりも短い長さの原稿を搬送可能に構成されている。
【００１８】
この構成では、原稿が前記検知部によって検知される前に、第１の原稿読取部で読み取られた原稿の画像情報の蓄積及び符号化が完了している場合があり得る。この場合は原稿の逆搬送を省略することで、画像読取に必要な時間を短縮することができる。
【００１９】
前記画像読取装置においては、前記記憶部及び前記符号変換部が本体側に備えられるとともに、前記第２の原稿読取部が前記本体に着脱自在とされていることが好ましい。
【００２０】
この構成により、片面のみの読取機能を有する構成と、両面読取機能を有する構成との間で、画像読取装置を容易に変更することができる。これにより、様々なニーズに対応できる画像読取装置を提供できる。
【００２１】
本発明の第２の観点によれば、前記画像読取装置に対し着脱可能な裏面読取ユニットであって、前記第２の原稿読取部を備えることを特徴とする裏面読取ユニットが提供される。
【００２２】
この構成により、片面（表面）のみの読取機能を有する構成と、両面読取機能を有する構成との間で、画像読取装置を容易に変更することができる。これにより、様々なニーズに対応できる画像読取装置を提供できる。
【００２３】
前記裏面読取ユニットにおいては、前記原稿を検知するための検知部を備えることが好ましい。
【００２４】
この構成により、例えば裏面の読取にだけ使用するセンサを裏面読取ユニット側に備えることで、本体側の構成を簡素化することができる。
【００２５】
本発明の第３の観点によれば、前記画像読取装置を備えた画像形成装置が提供される。
【発明を実施するための最良の形態】
【００２６】
以下、本発明の好適な実施形態について図面を参照しながら説明する。図１は本発明の一実施形態に係るイメージスキャナ装置１０の正面断面図である。図２はイメージスキャナ装置１０の電気的構成を示すブロック図である。
【００２７】
本実施形態の画像読取装置としてのイメージスキャナ装置１０は、自動原稿搬送装置（オートドキュメントフィーダ、ＡＤＦ）２５を備えた、ブックスキャナ及びオートドキュメントフィードスキャナ兼用の構成となっている。この読取部をオートドキュメントフィードスキャナとして使用する場合は、前記ＡＤＦ２５によって原稿９０を１枚ずつ搬送しながら、後述の電荷結合素子（ＣＣＤ）５６及び密着型イメージセンサ（ＣＩＳ）５７によって原稿の表裏両面の画像を読み取るように構成されている。このＡＤＦ２５を使用した原稿読取の詳細については後述する。
【００２８】
一方、読取部をブックスキャナとして使用する場合は、読み取るべきブック原稿をユーザがプラテンガラス２２上に載置し、その上から原稿台カバー２１によって押圧して、ブック原稿が動かないように固定する。この状態で、後述のスキャナユニット５０によって原稿の画像を読み取ることができるようになっている。
【００２９】
図１に示すように、ＡＤＦ２５は、前記原稿台カバー２１の部分に設けられている。このＡＤＦ２５は、原稿台カバー２１の上部に設けられた原稿トレイ２３と、この原稿トレイ２３の下方に設けられた排出トレイ２４と、を備える。また、図１においては省略しているが、イメージスキャナ装置１０は、原稿９０の読取の開始等を指示するための操作パネルを備えている。
【００３０】
図１に示すように、前記原稿台カバー２１の内部には、原稿トレイ２３と排出トレイ２４とを繋ぐ湾曲状の原稿搬送経路３０が構成されている。この構成で、原稿トレイ２３に重ねてセットされた原稿９０は、１枚ずつ分離されて湾曲状の前記原稿搬送経路３０に沿って搬送され、排出トレイ２４へ排出される。
【００３１】
次に、原稿搬送経路３０に沿って、ＡＤＦ２５の各部の詳細な構成を説明する。
【００３２】
図１に示すように、原稿トレイ２３から原稿搬送経路３０に原稿９０が供給される箇所では、ピックアップローラ３１が備えられている。ピックアップローラ３１の下流側には分離ローラ３２が備えられ、この分離ローラ３２と対向する位置に分離パッド３７が配置されている。
【００３３】
この分離パッド３７は、スプリングによって前記分離ローラ３２の周面に押し付けられている。これら分離ローラ３２と分離パッド３７により分離部が構成されている。
【００３４】
以上の構成で、ＡＤＦ２５の駆動が開始されるとピックアップローラ３１が駆動されて、原稿トレイ２３上の最上層の原稿９０が繰り込まれて下流側へ搬送される。原稿９０は、分離ローラ３２と分離パッド３７との間でニップされ、この状態で分離ローラ３２を駆動することで、原稿９０が１枚ずつ分離され、更に下流側へ搬送される。
【００３５】
分離ローラ３２の下流側にはレジストローラ３９が配置されている。このレジストローラ３９は、分離ローラ３２によって搬送されてくる原稿９０の先頭側を一時的に止めて弛ませ、所定時間後に弛みを除去しつつ下流側に搬送する。これにより、原稿９０の斜行が矯正される。
【００３６】
レジストローラ３９の下流側には、複数の搬送ローラ３３，３４，３５が設けられる。この構成で、前記レジストローラ３９の駆動によって下流側へ搬送された原稿９０は、搬送ローラ３３，３４，３５によりニップされて更に下流側へ搬送される。
【００３７】
２つの搬送ローラ３４，３５の間には原稿読取位置Ｐ１が設定されており、この原稿読取位置Ｐ１を通過する原稿９０は、以下に説明するスキャナユニット５０によって走査され、読み取られる。
【００３８】
スキャナユニット５０を説明する。このスキャナユニット５０は、ＡＤＦ２５及びプラテンガラス２２の下方に配置されている。また、このスキャナユニット５０は、前記プラテンガラス２２又は前記ＡＤＦ２５の原稿読取位置に対して光を照射する光源５１と、原稿９０からの反射光を反射させる反射ミラー５２，５３，５４と、反射光を収束させる集光レンズ５５と、この収束光を電気信号に変換して出力する第１の原稿読取部としての電荷結合素子（ＣＣＤ）５６と、を備えている。ＣＣＤ５６は三原色分解のためのカラーフィルタを備えており、カラー原稿を読み取ることができるように構成されている。
【００３９】
スキャナユニット５０の光源５１及び反射ミラー５２等は適宜移動可能に構成しており、前述したように原稿読取部をブックスキャナとして使用する場合は、光源５１及び反射ミラー５２等をプラテンガラス２２に沿って移動させることで、プラテンガラス２２上に載置された原稿を走査できるようになっている。
【００４０】
一方、原稿読取部をオートドキュメントフィードスキャナとして使用する場合（ＡＤＦ２５を用いて原稿９０を読み取る場合）は、光源５１及び反射ミラー５２等は、図１に示すように、前記原稿読取位置Ｐ１に対向する位置まで移動させて静止させておく。この状態でＡＤＦ２５を駆動することにより、原稿搬送経路３０を搬送されて原稿読取位置Ｐ１を通過する原稿９０の表側の面（第１面）を、スキャナユニット５０が走査して読み取ることができる。
【００４１】
この原稿９０からの反射光はＣＣＤ５６へ導かれて結像し、ＣＣＤ５６は原稿９０の画像情報に応じた電気信号を出力する。この信号は適宜変換処理され、イメージスキャナ装置１０が接続される上位装置（例えば、パーソナルコンピュータ）へ送信される。
【００４２】
原稿搬送経路３０において、前記原稿読取位置Ｐ１の下流側（搬送ローラ３５の下流側）には第２原稿読取位置Ｐ２が設定されている。そして、この原稿読取位置Ｐ１の部分に、第２の原稿読取部としての密着型イメージセンサ（ＣＩＳ）５７が備えられている。前記ＣＩＳ５７に対向する位置にはプラテンローラ３８が配置されている。この構成で、前記搬送ローラ３５により搬送された原稿９０は、ＣＩＳ５７とプラテンローラ３８との間でニップされ、当該原稿９０の裏側の面（第２面）がＣＩＳ５７により走査されて読み取られる。
【００４３】
ＣＩＳ５７は、原稿９０の裏面の画像情報に応じた電気信号を出力する。この信号は、ＣＣＤ５６によって読み取られた表面の画像情報と同様に適宜変換処理され、上位装置へ送信される。なお、このＣＩＳ５７も前述のＣＣＤ５６と同様に、カラー原稿を読取可能に構成されている。
【００４４】
以上のようにして２つの原稿読取位置Ｐ１，Ｐ２で表裏両面の内容を読み取られた原稿９０は、排出ローラ３６によって搬送され、排出トレイ２４へ排出される。
【００４５】
次に、前記原稿搬送経路３０に配置される、原稿を検知するためのセンサを説明する。図１に示すように、前記分離ローラ３２のすぐ下流側には、原稿検知センサ４１が配置される。また、原稿読取位置Ｐ１のやや上流側の位置に、第１読取検知センサ４４が備えられている。更に、第２原稿読取位置Ｐ２のやや上流側の位置に、検知部としての第２読取検知センサ４５が備えられている。
【００４６】
また、イメージスキャナ装置１０は、上記のほか、原稿９０の原稿トレイ２３へのセット有無を検知するセンサ、及び、原稿の幅方向のサイズを検知するセンサ等を備える。これらのセンサは何れも後述の制御部に電気的に接続され、制御部へ信号を適宜出力できるように構成されている。
【００４７】
なお、前述したＣＩＳ５７、プラテンローラ３８、第２読取検知センサ４５、及び排出ローラ３６は、一体的に取りまとめられた裏面読取ユニット（両面読取機能追加ユニット）８０として構成されている。この裏面読取ユニット８０は、イメージスキャナ装置１０のオプション装置として構成されており、イメージスキャナ装置１０に着脱可能に構成されている。
【００４８】
このような構成のイメージスキャナ装置１０は、例えば以下のように使用することができる。即ち、あるユーザが、裏面読取ユニット８０が取り外された状態のイメージスキャナ装置１０を購入したとする。この場合、イメージスキャナ装置１０は、片面読取の機能のみを有する。なお、このときは、図１に示す前記搬送ローラ３５が、排出トレイ２４へ原稿９０を排出する排出ローラとして機能する。
【００４９】
その後、そのユーザにおいて両面読取のニーズが生じた場合は、当該ユーザは裏面読取ユニット８０を別途購入し、イメージスキャナ装置１０に装着する。これにより、イメージスキャナ装置１０を両面読取可能な構成に簡単に変更することができる。
【００５０】
次に、図２のブロック図を用いて、本実施形態のイメージスキャナ装置１０の電気的構成について説明する。
【００５１】
図２に示すように、イメージスキャナ装置１０はマイクロコンピュータ式の制御部６１を備える。また、前記ＡＤＦ２５においては、前述したピックアップローラ３１、分離ローラ３２、レジストローラ３９、搬送ローラ３３，３４，３５、排出ローラ３６等により、原稿９０を搬送するための搬送部が構成されている。更に、ＡＤＦ２５は前記搬送部を駆動するための駆動モータ６２を備えており、この駆動モータ６２は前記制御部６１に接続されている。
【００５２】
また、この制御部６１には、原稿検知センサ４１、第１読取検知センサ４４、及び第２読取検知センサ４５等の各種センサが接続されている。制御部６１は、これらのセンサの検出信号に基づいて各部の制御を行うように構成されている。
【００５３】
また、イメージスキャナ装置１０は、互いにデータバスを介して接続された、切換部６４、イメージメモリ６５、画像処理部６６、及び符号変換部６７を備えている。
【００５４】
前記スキャナユニット５０のＣＣＤ５６は、アナログフロントエンド（ＡＦＥ）６３を介して切換部６４に接続される。ＣＣＤ５６で読み取った原稿の画像データは、このＡＦＥ６３によって、アナログ信号からデジタル信号に変換される。
【００５５】
同様に、前記ＣＩＳ５７も切換部６４に接続される。なお、このＣＩＳ５７においては、画像データのアナログ信号からデジタル信号への変換は、ＣＩＳ５７に内蔵のアナログフロントエンドによって行われる。
【００５６】
切換部６４は、記憶部としてのイメージメモリ６５に接続されている。この切換部６４は、制御部６１からの信号に基づいて切り換えられて、ＣＣＤ５６からの画像情報とＣＩＳ５７からの画像情報とを切り換え、何れか一方の信号をイメージメモリ６５に一時的に蓄積させる。なお、切換部６４がＣＣＤ５６側に切り換わっているときは、ＣＩＳ５７側からイメージメモリ６５への信号の入力は阻止される。また、切換部６４がＣＩＳ５７側に切り換わっているときは、ＣＣＤ５６側からイメージメモリ６５への信号の入力は阻止される。
【００５７】
画像処理部６６は、原稿の画像データがカラーかモノクロかを判別する処理、及び、内蔵されるＤＭＡコントローラによってＤＭＡ転送の制御処理等を行う。
【００５８】
符号変換部６７は、イメージメモリ６５等に蓄積された画像データを例えばＪＰＥＧ圧縮する等して変換する。変換された画像データは、図示しないインタフェースを介してイメージスキャナ装置１０と接続される、図略のパーソナルコンピュータ等に送られる。
【００５９】
次に、図３及び図４のフローチャートと、図５から図８までの拡大断面図を用いて、原稿９０の表裏両面を読み取る際のＡＤＦ２５の制御について説明する。
【００６０】
ユーザが両面読取原稿をＡＤＦ２５の原稿トレイ２３にセットし、操作パネルを適宜操作して、原稿読取を指示したとする。制御部６１は、操作パネルから読取開始信号を受信すると、前記駆動モータ６２の駆動を開始し、原稿の搬送を開始する（図３のＳ１０１）。これにより、上述のとおり原稿９０が原稿トレイ２３から繰り込まれて、原稿搬送経路３０を搬送される。
【００６１】
原稿搬送の開始後は、制御部６１は、図１に示す第１読取検知センサ４４が原稿９０の先端を検出し、所定の信号を制御部６１に送信するまで待機する（図３のＳ１０２）。
【００６２】
やがて、原稿９０の先端が第１読取検知センサ４４に到達し、第１読取検知センサ４４が信号を出力する。これを受信した制御部６１はＳ１０３の処理に移行し、図１に図示の原稿読取位置Ｐ１に原稿９０の先端が到達するまで待機する（Ｓ１０３）。具体的に説明すると、制御部６１は、第１読取検知センサ４４が原稿９０の先端を検出した時点からの前記駆動モータ６２の回転量をカウントする。そして、このカウント値が第１読取検知センサ４４と原稿読取位置Ｐ１との距離に相当する値となるまで、処理を待機する。
【００６３】
原稿９０の先端が原稿読取位置Ｐ１に到達すると、制御部６１は、スキャナユニット５０に読取開始を指示する（Ｓ１０４）。この結果、原稿９０の表側の面がスキャナユニット５０により走査され、ＣＣＤ５６が画像情報を出力する。
【００６４】
このとき、図２に示した切換部６４は、制御部６１によってＣＣＤ５６側に予め切り換えられている。従って、スキャナユニット５０のＣＣＤ５６の情報は、イメージメモリ６５に入力されて蓄積される。また、この蓄積の開始後間もなく、イメージメモリ６５に蓄積された画像情報の符号化も開始される（Ｓ１０５）。この後は、画像情報が蓄積されるのと並行して画像情報の符号化も行われることになる。前記符号化処理は、図２に示す符号変換部６７によって行われる。
【００６５】
その後、制御部６１は、第１読取検知センサ４４が原稿後端を検知した状態（図５の状態）となるまで待機する（Ｓ１０６）。
【００６６】
原稿９０は、原稿読取位置Ｐ１においてその表側の面を走査されながら、下流側へ搬送されていく。なお、ある程度原稿９０が搬送されると原稿９０の先端が第２原稿読取位置Ｐ２を通過することになるが、この時点では裏面の読取は行われない。
【００６７】
そして、図５の状態となった瞬間、第１読取検知センサ４４は、原稿９０の後端を検出した旨の信号を制御部６１に送信する。これを受信した制御部６１は、その信号を受信してから原稿９０が所定距離搬送されたタイミング（即ち、原稿９０の後端が原稿読取位置Ｐ１を通過するタイミング）で、スキャナユニット５０に読取終了を指示する。この結果、原稿９０の表側の面の画像情報蓄積が完了する（Ｓ１０７）。
【００６８】
その後直ちに、制御部６１は、ＡＤＦ２５の各種ローラを駆動する前記駆動モータ６２を停止させるとともに、逆回転させる（Ｓ１０８）。これにより、原稿９０の引戻しが開始される。なお、この原稿の引戻しは、原稿９０の表側の面の読取データの符号変換が完了したか否かを問わず開始される。
【００６９】
その後、制御部６１は、第２読取検知センサ４５が原稿先端を検知するまで待機する（Ｓ１０９）。なお、ここでいう「原稿先端」とは、原稿９０を正方向に搬送したときに先頭側に位置する端部を意味する。この結果、原稿９０は、その原稿先端が第２原稿読取位置Ｐ２を通過するまで、原稿搬送経路３０を逆送されることになる。
【００７０】
原稿９０の先端が第２読取検知センサ４５によって検知されると、制御部６１はＳ１１０の処理に移行し、逆転されていた駆動モータ６２を停止して、再び正方向に駆動する。その後、制御部６１は図４のＳ１１１の処理に移り、再び、第２読取検知センサ４５が原稿先端を検知するまで待機する。
【００７１】
間もなく、図７に示すように原稿９０の先端が再び第２読取検知センサ４５に差し掛かり、第２読取検知センサ４５によって原稿９０の先端が検知される。すると制御部６１は、前記符号変換部６７による原稿９０の表側の面の符号化処理が完了しているか否かを調べる（図４のＳ１１２）。符号化処理が完了せず、まだ符号化処理中であった場合は、駆動モータ６２を停止させて（Ｓ１１３）、符号化処理が完了するまで待機する。
【００７２】
Ｓ１１２の判断で原稿の表側の面の符号化処理が完了したと判定された場合は、制御部６１は、駆動モータ６２が停止中だった場合は駆動を再開させる（Ｓ１１４、Ｓ１１５）。そして、原稿９０の先端が第２原稿読取位置Ｐ２に到達するまで待機する（Ｓ１１６）。具体的に説明すると、制御部６１は、第２読取検知センサ４５が原稿９０の先端を検出した時点からの前記駆動モータ６２の回転量をカウントする。そして、このカウント値が第２読取検知センサ４５と第２原稿読取位置Ｐ２との距離に相当する値となるまで、処理を待機する。
【００７３】
原稿９０の先端が原稿読取位置Ｐ１に到達すると、制御部６１は、ＣＩＳ５７に読取開始を指示する（Ｓ１１７）。この結果、原稿９０の裏側の面がＣＩＳ５７により走査され、ＣＩＳ５７が画像情報を出力する。
【００７４】
なおこのとき、図２に示した切換部６４は、ＣＩＳ５７側に切り換わるように制御部６１によって制御される。従って、ＣＩＳ５７の画像情報は、前記ＣＣＤ５６の画像情報の場合と同一のイメージメモリ６５に入力され、蓄積されることになる（図４のＳ１１７）。また、この蓄積の開始後間もなく、イメージメモリ６５に蓄積された画像情報の符号化も開始される（Ｓ１１８）。この符号化処理も、前記ＣＣＤ５６の画像情報の符号化を行った符号変換部６７によって行われる。その後、制御部６１は、第２読取検知センサ４５が原稿９０の後端を検知するまで待機する（Ｓ１１９）。
【００７５】
原稿９０は、原稿読取位置Ｐ２においてその裏側の面を走査されながら、下流側へ搬送されていく。そして、第２読取検知センサ４５が原稿９０の後端を検知して制御部６１に信号を送信すると、制御部６１は、その信号を受信してから所定時間後のタイミング（即ち、原稿９０の後端が第２原稿読取位置Ｐ２を通過するタイミング）で、ＣＩＳ５７に読取終了を指示する。この結果、原稿９０の裏側の面の画像情報蓄積が完了する（Ｓ１２０）。
【００７６】
その後、制御部６１は、駆動モータ６２を駆動して原稿９０を図８に示すように前記排出トレイ２４側へ搬送しつつ、前記符号変換部６７による原稿９０の裏側の面の符号化処理が完了するまで待機する（Ｓ１２１）。そして、符号化処理が完了すると、原稿読取処理を終了する。
【００７７】
以上に示すように、本実施形態のイメージスキャナ装置１０は、原稿の表面の画像情報を読み取るためのＣＣＤ５６と、原稿の裏面の画像情報を読み取るためのＣＩＳ５７と、原稿の画像情報を記憶するためのイメージメモリ６５と、このイメージメモリ６５に記憶された画像情報を符号に変換するための符号変換部６７と、を備える。そして、前記ＣＣＤ５６と前記ＣＩＳ５７とが同一のイメージメモリ６５に接続されている。そして、ＣＣＤ５６からの画像情報とＣＩＳ５７からの画像情報が同一のイメージメモリ６５に入力され、同一の符号変換部６７によって符号に変換される。
【００７８】
これにより、１つのイメージメモリ６５及び符号変換部６７を原稿９０の表面用と裏面用で共用できるので、製造コストを抑えることができる。更に、原稿９０を反転させることなく両面を読み取ることができるので、原稿９０の表面を原稿読取部で読み取った後に原稿９０を表裏反転させて同一の原稿読取部で読み取る方法と比べて、読取時間を短縮することができる。これによって、両面読取機能を有する画像読取装置において、製造コストを抑えるとともに、読取時間を短縮できる。また、両面読取機能をシンプルに構成できるので、部品の交換及びメンテナンスも行いやすくなる。
【００７９】
また、本実施形態のイメージスキャナ装置１０は切換部６４を備えており、この切換部６４は、ＣＣＤ５６からイメージメモリ６５に画像情報が入力される状態と、ＣＩＳ５７からイメージメモリ６５に画像情報が入力される状態と、の間で切換可能に構成されている。
【００８０】
これにより、ＣＣＤ５６で読み取った画像情報とＣＩＳ５７で読み取った画像情報とを、確実に切り換えてイメージメモリ６５に入力して蓄積し、符号変換させることができる。
【００８１】
また、本実施形態のイメージスキャナ装置１０は、原稿９０を搬送するための搬送ローラ３３等からなる搬送部と、この搬送部を駆動する駆動モータ６２と、この駆動モータ６２を制御する制御部６１と、を備える。そして制御部６１は、原稿９０の後端がＣＣＤ５６を通過した後に駆動モータ６２を逆回転させて、原稿９０を第２原稿読取位置Ｐ２より上流側に引き戻すように制御する（Ｓ１０８〜Ｓ１１１）。また、制御部６１は、符号変換部６７による原稿の表面の符号化後にＣＩＳ５７が原稿の裏面の読取を開始するように前記駆動モータ６２を制御する（Ｓ１０９〜Ｓ１２１）。
【００８２】
これにより、ＣＣＤ５６で読み取られた画像情報が符号化されるまでＣＩＳ５７の読取を待つことで、イメージメモリ６５の容量を表裏両面分確保できない場合でも、適切に両面読取を行うことができる。また、駆動モータ６２をいったん停止制御するだけで良いので、簡素な構成のイメージスキャナ装置１０を提供することができる。
【００８３】
また本実施形態のイメージスキャナ装置１０は、ＣＩＳ５７の原稿搬送経路３０における上流側に第２読取検知センサ４５を備える。そして、前記制御部６１は、引き戻される原稿９０が第２読取検知センサ４５を通過した後に前記駆動モータ６２を正回転させるように制御するように構成されている。
【００８４】
これにより、駆動モータ６２を正回転させてＣＩＳ５７により裏面を読み取る際に、第２読取検知センサ４５の検知タイミングを基準にしてＣＩＳ５７の読取開始タイミングを正確に決定することができる。
【００８５】
また、本実施形態のイメージスキャナ装置１０は、前記イメージメモリ６５及び前記符号変換部６７を本体側に備える一方、ＣＩＳ５７は、イメージスキャナ装置１０本体に着脱自在な裏面読取ユニット８０に備えられている。
【００８６】
この構成により、裏面読取ユニット８０の付け外しによって片面読取と両面読取の切換を簡単に行うことができるので、選択の幅が広がり、ユーザの様々なニーズに対応できるイメージスキャナ装置１０を提供できる。また、イメージメモリ及び符号変換部を裏面読取ユニット８０側に備える必要がないので、裏面読取ユニット８０の構成を簡素化できる。
【００８７】
また、本実施形態のイメージスキャナ装置１０においては、原稿９０を検知するための第２読取検知センサ４５は、裏面読取ユニット８０側に備えられている。
【００８８】
このように、裏面の読取にだけ使用するセンサ（ＣＩＳ５７の読取開始タイミングを決定する第２読取検知センサ４５）を裏面読取ユニット８０側に備えることで、本体側の構成を簡素化することができる。
【００８９】
なお、図５〜図８には、ＣＣＤ５６による原稿読取位置Ｐ１から第２読取検知センサ４５までの距離よりも長い原稿９０を搬送した場合が図示されている。一方で、本実施形態のイメージスキャナ装置１０は、原稿読取位置Ｐ１から第２読取検知センサ４５までの距離よりも短い原稿を搬送することもできるようになっている。
【００９０】
この場合、ＡＤＦ２５の制御において原稿の戻し搬送処理（図３のＳ１０９、Ｓ１１０）を省略する余地がある。即ち、原稿の先端が第２原稿読取位置Ｐ２に到達する前に原稿の表側の面の画像情報蓄積及び符号化処理が完了できるのであれば、原稿を逆搬送して改めて読み取る必要はない。従って、短時間で読取を完了することができる。
【００９１】
なお、ＡＤＦ２５で搬送される原稿の長さは、例えば前記原稿検知センサ４１で原稿の先端を検出してから後端を検出するまでに要した時間に基づいて算出することができる。この原稿の長さの情報を用いることにより、原稿の長さが上記距離よりも長い場合はＳ１０９、Ｓ１１０の処理を行い、短い場合は当該処理を省略するように制御することも可能である。
【００９２】
以上に本発明の好適な実施形態を説明したが、上記の構成は例えば以下のように変更することができる。
【００９３】
上記実施形態では、駆動モータ６２を逆回転させて（Ｓ１０８）、第２読取検知センサ４５が原稿９０の先端を検知した後に（Ｓ１０９）、駆動モータ６２を停止して正回転を開始している（Ｓ１１０）。しかしながら、この制御方法に代えて、表面の画像情報の符号化処理が完了するまで駆動モータ６２を停止しておき、処理の終了後に駆動モータ６２を正転させて裏面の読取を開始させる制御方法とすることもできる。これによって、符号化の終了前に読取が開始されることを防止でき、両面の読取を確実に行うことができる。
【００９４】
なお上記の実施形態の構成に代えて、イメージメモリを２ページ分備え、第１面の符号化完了を待たずに第２面の読取を開始する構成とすることもできる。
【００９５】
ＣＣＤ５６及びＣＩＳ５７は、カラー読取可能な構成とせずに、モノクロ用ＣＣＤ及びモノクロ用ＣＩＳに変更することができる。また、原稿の表側の面をＣＩＳで読み取る構成に変更することも、裏側の面をＣＣＤで読み取る構成に変更することもできる。加えて、２つの原稿読取部として、ＣＣＤ及びＣＩＳ以外のイメージセンサを用いることができる。
【００９６】
上記の実施形態の構成は、第１の原稿読取部によって表面ではなく裏面を読み取り、第２の原稿読取部で表面を読み取る構成のイメージスキャナ装置に適用することができる。
【００９７】
上記の実施形態の構成は、オートドキュメントフィードスキャナ及びブックスキャナ兼用のイメージスキャナ装置１０に限らず、オートドキュメントフィード専用のイメージスキャナ装置に適用することができる。
【００９８】
上記の実施形態の構成は、イメージスキャナ装置１０に限らず、例えばコピー機、ファクシミリ装置、及びコピーファクシミリ複合機等の画像形成装置に適用することができる。
【図面の簡単な説明】
【００９９】
【図１】本発明の一実施形態に係るイメージスキャナ装置の画像読取部分の構成を示した正面断面図。
【図２】イメージスキャナ装置の電気的構成の一部を示すブロック図。
【図３】原稿の両面を読み取る制御の前半部を示すフローチャート図。
【図４】原稿の両面を読み取る制御の後半部を示すフローチャート図。
【図５】搬送される原稿の後端が第１読取検知センサによって検知される様子を示す拡大断面図。
【図６】原稿表面の画像読取が終了し、原稿が逆搬送される様子を示す拡大断面図。
【図７】引き戻された後に再び正方向に搬送された原稿の先端が第２読取検知センサによって検知される様子を示す拡大断面図。
【図８】原稿裏面の読み取りが終了して排出トレイに原稿が排出される様子を示す断面拡大図。
【符号の説明】
【０１００】
１０  イメージスキャナ装置（画像読取装置）
２３  原稿トレイ
２４  排出トレイ
２５  ＡＤＦ
３０  原稿搬送経路
３１  ピックアップローラ
３２  分離ローラ
３３，３４，３５  搬送ローラ
３７  分離パッド
４１  原稿検知センサ
４４  第１読取検知センサ
４５  第２読取検知センサ（検知部）
５０  スキャナユニット
５１  光源
５５  集光レンズ
５６  ＣＣＤ（電荷結合素子、第１の原稿読取部）
５７  ＣＩＳ（密着型イメージセンサ、第２の原稿読取部）
６１  制御部
６４  切換部
６５  イメージメモリ（記憶部）
６７  符号変換部
８０  裏面読取ユニット
９０  原稿
Ｐ１  原稿読取位置（ＣＣＤによる原稿読取位置）
Ｐ２  第２原稿読取位置（ＣＩＳによる原稿読取位置）
【図１】
2009005101.tif 000003
【図２】
2009005101.tif 000004
【図３】
2009005101.tif 000005
【図４】
2009005101.tif 000006
【図５】
2009005101.tif 000007
【図６】
2009005101.tif 000008
【図７】
2009005101.tif 000009
【図８】
2009005101.tif 000010